(57)【要約】      （修正有）【課題】引戸の厚みが経年変化等によって取り付け当時より薄くなってもガタ付きの発生を防止することができると共に、引戸の貫通孔の大きさが経年変化等によって取り付け当時より大きくなってもずれを防止するガイドを必要としない引戸用引手を提供する。【解決手段】引戸の側面に形成されている貫通孔に、戸板に面接するフランジ部１−１とケーシング１−２から成る一対の引手本体１を引戸の両面から対向してそれぞれ嵌挿することにより一体化するようにした引戸用引手において、引手本体の上、下のそれぞれに互いに係合する第１連結具２と第２連結具３を装着する。第１連結具は、第１傾斜部２−２ａと第２傾斜部２−２ｂを形成した弾性を有する左右対称的な一対の係止片２−２から構成され、第２連結具は、係止片の第１傾斜部が当接して変形するための第１傾斜部と同係止片の第２傾斜部が当接して係止する左右対称的な一対の係合片から構成されている。【選択図】図１
2014043761.tif 000002
【特許請求の範囲】
【請求項１】
引戸の側面に形成されている貫通孔に、戸板に面接するフランジ部とケーシング部から成る一対の引手本体を引戸の両面から対向してそれぞれ嵌挿することにより一体化するようにした引戸用引手において、上記引手本体の上下それぞれに互いに係合する第１連結具と第２連結具を装着乃至取着した引手であって、前記第１連結具は、第１傾斜部と第２傾斜部を形成した弾性を有する左右対称的な一対の係止片から構成され、第２連結具は、上記係止片の第１傾斜部が当接して変形するための第１傾斜部と同係止片の第２傾斜部が当接して係止する左右対称的な一対の係合片から構成されていることを特徴とする引戸用引手。
【請求項２】
請求項１記載の引戸用引手において、引手本体の上、下部のいずれかに設けられる第１連結具は引手本体に着脱自在に装着されていること特徴とする引戸用引手。
【発明の詳細な説明】
【技術分野】
【０００１】  本発明は、建具や間仕切等の引戸や扉類にワンタッチで取り付けることができる引手に関するものである。
【背景技術】
【０００２】
【特許文献１】  特許第３８２２６７１号公報
【発明の開示】
【発明が解決しようとする課題】
【０００３】  従来から引戸の掘込孔に簡単にワンタッチで取り付けることができる引手は特許第３８２２６７１号公報に記載される通り既に公知である。【０００４】  上記特許第３８２２６７１号公報の発明の構成は、指掛凹部とフランジ部とを備えてなる一組の引手本体にそれぞれ係止受部と、この係止受部に係入する弾性係止片とが対向して設けられた構成を特徴とし、引戸に穿設された貫通孔の両面から一組の引手本体双方のケーシングを嵌入させることによって弾性係止片が対向して設けられた係止受部に係入し、その結果、弾性作用によって係止された状態で一組の引手本体同士がワンタッチで引戸に取付けされるようになっておるものであった。【０００５】  然しながら、この発明では、木製の引戸の場合、引手が取り付けられた後、引戸の厚みが、経年変化等によって取り付け当時より薄くなった場合には対応できず、引戸表面と引手のフランジの間に隙間が生じてガタ付き生じる等の問題点があり、引戸の厚みが湿度等によって膨張して厚くなった後、収縮があった場合には更に大きなガタ付きが生じるという問題点があった。【０００６】  また、この構造では引戸の厚さの変化だけでなく引戸に穿設された貫通孔の大きさが変化した場合、両引手間で左右にずれが生じる問題点があるため、両引手本体にはずれを防止するガイドを必要としていた。
【発明の目的】
【０００７】  本発明は、引戸の厚みが、経年変化等によって取り付け当時より薄くなっても、対向する引手本体の間隔を自動的に狭めることにより、引戸と引戸用引手との間に隙間を生じさせず、ガタ付きの発生を防止することができると共に、引戸の貫通孔つまり掘り込み孔の大きさが経年変化等によって取り付け当時より大きくなっても両引手本体にずれを防止するガイドを必要としない引戸用引手を提供することを目的とするものである。
【課題を解決するための手段】
【０００８】  本発明に係る引戸用引手は、引戸の側面に形成されている貫通孔に、戸板に面接するフランジ部とケーシング部から成る一対の引手本体を引戸の両面から対向してそれぞれ嵌挿することにより一体化するようにした引戸用引手において、上記引手本体の上、下のそれぞれに互いに係合する第１連結具と第２連結具を装着乃至取着した引手であって、前記第１連結具は、第１傾斜部と第２傾斜部を形成した弾性を有する左右対称的な一対の係止片から構成され、第２連結具は、上記係止片の第１傾斜部が当接して変形するための第１傾斜部と同係止片の第２傾斜部が当接して係止する左右対称的な一対の係合片から構成されていることを特徴とするものである。
【０００９】  本発明に係る引戸用引手の２番目の発明は、前記引戸用引手において、引手本体の上、下部のいずれかに設けられる第１連結具は引手本体に着脱自在に装着されていること特徴とするものである。
【発明の作用】
【００１０】  本発明に係る第１の引戸用引手では、戸板が経年変化等によって取り付け当時より薄くなった場合には対向する引手本体の間隔を自動的に狭めることにより、引戸と引戸用引手との間に隙間を生じさせず、ガタつきの発生を防止することができ、戸板が厚くなった場合には戸板の厚みに応じて対向する引手本体の間隔を自動的に広くすることができるだけでなく、引戸の貫通孔つまり掘り込み孔の大きさが経年変化等によって取り付け当時より大きくなっても両引手本体にずれを防止するガイドを必要としない。
【００１１】  ２番目の発明では、前記引戸用引手において、引手本体の上下又は左右のそれぞれに互いに係合する第１連結具、第２連結具の内少なくとも第１連結具は引手本体に着脱自在に装着されているので、引手本体を合成樹脂で製作してあっても、第１連結具の係止片を金属のバネ材で製作したり、合成樹脂の材質を変えることによって強力な係止力を有するものとすることができ、また、長さを変えたものを製作することで引手本体を１種類としても戸板の厚さの種類に応じた引手を自在に提供することができる。
【実施例】
【００１２】  図１は、本発明引手の背面側から見た状態の斜視図、図２は、同引手の第１連結具を引手本体に装着する状態の斜視図、図３は、本発明引手を引戸に取り付ける状態の分解斜視図、図４〜図８は、本発明引手を引戸に取り付けるときの第１連結具、第２連結具の状態を示す説明図である。【００１３】  図示において、１は、戸板に面接するフランジ部１−１と手掛部を有するケーシング１−２から構成される引手本体である。【００１４】  ２は、ケーシング１−２の上部に装着される第１連結具であって、基板２−１に一体形成された弾性を有する合成樹脂製または金属製の一対の左右対称の係止片２−２、２−２とから構成され、各係止片２−２には第１傾斜部２−２ａと第２傾斜部２−２ｂが形成されており、基板２−１には引手本体が嵌めこまれる引戸Ｄの掘り込み孔の下端に当接してガタ付きを防止するストッパー２−１ａが形成されており、引手本体の第１連結具とは反対側の部分にも同じ作用をするストッパーが形成されている。【００１５】  この第１連結具２は、図２のように合成樹脂製のケーシング１−２の上部に一体形成された取付部材１−２ａ、１−２ａ間のスリット部に基板２−１を差し入れて樹脂の弾性による圧入によって固着するものである。【００１６】  ３は、前記第１連結具２の相手方となる第２連結具であって、前記第１連結具２の第１傾斜部２−２ａが当接して内方向に曲がるように作用する第１傾斜部３−１とこの第１傾斜部３−１を乗り越えたところで第２傾斜部２−２ｂが弾性的に接合する第２傾斜部３−２を形成してあり、この一対の第２連結具３、３は左右対称的に形成されている。【００１７】  次に、本発明引手の取付方法を説明すれば、先ず、板厚ａｍｍの引戸Ｄの引手１を取り付ける個所に上下左右にガタ付きがないように挿通できる貫通孔Ｄ−１を穿つ。【００１８】  穿った貫通孔Ｄ−１の一方側に第１連結具２が上部となるようにした引手１−Ａを、他方側に第２連結具３が上部となるようにした引手１−Ｂをそれぞれ図３のように対向するように配置して、両引手１−Ａ、１−Ｂを貫通孔Ｄ−１内に押し込む。【００１９】  図４の両引手１−Ａ、１−Ｂが離れている状態から両引手１−Ａ、１−Ｂを貫通孔Ｄ−１内に押し込むと先ず第１傾斜部２−２ａの端部が第２連結具３の第１傾斜部３−１当接して図５の状態となる。【００２０】  この状態から更に押し込むと、第１傾斜部２−２ａの端部が第２連結具３の第１傾斜部３−１のテーパーの作用で内方向に片形して図６の状態となる。【００２１】  この状態から更に押し込むと、図７の状態を経て第１連結具２、第２連結具３による引き寄せる方向の力によって図８の状態となって引戸Ｄを引手１−Ａ、１−Ｂのフランジ部で挟み付けた状態で両引手が板厚ａｍｍの引戸Ｄに取り付けられるものである。【００２２】  乾燥により薄くなる傾向のある戸板の場合、板厚がａｍｍ−αｍｍのときに図８の状態となるように設定しておけば、板厚ａｍｍの引戸Ｄに取り付けたときには図７のような状態で両引手が板厚ａｍｍの引戸Ｄに取り付けられるものである。【００２３】  而して、図７のように両引手が板厚ａｍｍの引戸Ｄに取り付けられた状態において、引戸Ｄの板厚が経年変化等によっ���ａｍｍよりαｍｍだけ薄くなった場合には第１、第２連結具双方の引き寄せ方向の力によって図８のように薄くなった分だけ接近し、引戸と引戸用引手との間に隙間を生じさせない。【００２４】  また、逆に戸板が初めから乾燥しており、これ以上戸板の板厚が薄くならないときには板厚がａｍｍのときに図８の状態となるように設定しておけば、湿度の吸収等によって膨張してａｍｍより厚くなった場合には戸板の膨張力が前記引き寄せる方向の力より勝って図７のように拡がる。【００２５】  つまり、戸板の厚みが変化しても設定厚さよりもαの範囲内で対応して確実に取り付けることができるもので、一種類の引手で一定の戸厚の異なる引戸に対応でき、また、第１連結具２の長さを変えることによって戸厚が大きく異なる引戸にも対応できるものである。
【発明の効果】
【００２６】本発明に係る引戸用引手によれば、引戸の側面に形成されている貫通孔に、戸板に面接するフランジ部とケーシング部から成る一対の引手本体を引戸の両面から対向してそれぞれ嵌挿することにより一体化するようにした引戸用引手において、上記引手本体の上下又は左右のそれぞれに互いに係合する第１連結具と第２連結具を装着乃至取着した引手であって、前記第１連結具は、第１傾斜部と第２傾斜部を形成した弾性を有する左右対称的な一対の係止片から構成され、第２連結具は、上記係止片の第１傾斜部が当接して変形するための第１傾斜部と同係止片の第２傾斜部が当接して係止する左右対称的な一対の係合片から構成されているため、戸板が経年変化等によって取り付け当時より薄くなった場合には対向する引手本体の間隔を自動的に狭めることにより、引戸と引戸用引手との間に隙間を生じさせず、ガタつきの発生を防止することができ、戸板が厚くなった場合には戸板の厚みに応じて対向する引手本体の間隔を自動的に広くすることができるだけでなく、引戸の貫通孔つまり掘り込み孔の大きさが経年変化等によって取り付け当時より大きくなっても両引手本体にずれを防止するガイドを必要としないものである。
【００２７】  また、２番目の発明のように、引手本体の上下又は左右に設けられる第１連結具を引手本体に着脱自在に装着しておけば、引手本体を合成樹脂で製作してあっても、第１連結具の係止片を金属のバネ材で製作すれば強力な係止力を有するものとすることができ、また、長さを変えたものを製作することで引手本体を１種類としても戸板の厚さの種類に応じた引手を自在に提供することができ、戸厚が通常のものより極めて厚いものに使用したいという特別注文があっても、着脱できる第１連結具を製作するだけで既存の引手本体を使用して対応できる等合理的な製品管理ができるものである。
【図面の簡単な説明】
【００２８】
【図１】  本発明引手の背面側から見た状態の斜視図である。
【図２】  同引手の第１連結具を引手本体に装着する状態の斜視図である。
【図３】  本発明引手を引戸に取り付ける状態の分解斜視図である。
【図４】  本発明引手を引戸に取り付けるときの第１連結具、第２連結具の状態を示す説明図である。
【図５】  本発明引手を引戸に取り付けるときの第１連結具、第２連結具の状態を示す説明図である。
【図６】  本発明引手を引戸に取り付けるときの第１連結具、第２連結具の状態を示す説明図である。
【図７】  本発明引手を引戸に取り付けるときの第１連結具、第２連結具の状態を示す説明図である。
【図８】  本発明引手を引戸に取り付けるときの第１連結具、第２連結具の状態を示す説明図である。
【符号の説明】
【００２９】１          引手本体
２          第１連結具
３          第２連結具
【図１】
2014043761.tif 000003
【図２】
2014043761.tif 000004
【図３】
2014043761.tif 000005
【図４】
2014043761.tif 000006
【図５】
2014043761.tif 000007
【図６】
2014043761.tif 000008
【図７】
2014043761.tif 000009
【図８】
2014043761.tif 000010